(57)【要約】【課題】購入禁止とする商品の適用範囲を広げることのできる決済システムを提供する。【解決手段】ＩＣカードが、購入禁止製品のカテゴリを示す購入禁止製品ＩＤの登録を受け付け、購入禁止製品のカテゴリを示すＩＤを記憶する。また決済端末が、商品に添付されているＩＤであって当該商品のカテゴリを示す商品ＩＤを読み取り、ＩＣカードの記憶する購入禁止製品ＩＤを読み取る。そして、商品ＩＤと購入禁止製品ＩＤとを比較して、カテゴリが一致するか否かを判定し、カテゴリが一致する場合に読み取った商品ＩＤに対応する商品の決済処理の中止を決定する。【選択図】図１
2009140303.tif 000002
【特許請求の範囲】
【請求項１】
ＩＣカードと当該ＩＣカードを用いて決済処理する決済端末を備えた決済システムであって、
前記ＩＣカードが、
購入禁止製品のカテゴリを示す購入禁止製品ＩＤの登録を受け付ける購入禁止製品登録受付手段と、
前記購入禁止製品ＩＤを記憶する購入禁止製品記憶手段と、
前記決済端末が、
商品に添付されている商品ＩＤを読み取る商品ＩＤ読み取り手段と、
前記ＩＣカードの記憶する購入禁止製品ＩＤを読み取る購入禁止製品ＩＤ読取手段と、
前記商品ＩＤが示す商品のカテゴリ情報と前記購入禁止製品ＩＤが示す商品のカテゴリ情報との比較に基づいて、カテゴリが一致するか否かを判定するカテゴリ判定手段と、
カテゴリが一致する場合に前記読み取った商品ＩＤに対応する商品の決済処理の中止を決定する決済中止決定手段と、
を備えることを特徴とする決済システム。
【請求項２】
ＩＣカードと当該ＩＣカードを用いて決済処理する決済端末を備えた決済システムであって、
前記ＩＣカードが、
購入禁止製品のカテゴリを示す購入禁止製品ＩＤの登録を受け付ける購入禁止製品登録受付手段と、
前記購入禁止製品ＩＤを記憶する購入禁止製品記憶手段と、
前記決済端末より入力を受け付けた商品ＩＤが示す商品のカテゴリ情報と前記購入禁止製品ＩＤが示す商品のカテゴリ情報との比較に基づいて、カテゴリが一致するか否かを判定するカテゴリ判定手段と、
前記判定の結果を前記決済端末へ通知する判定結果通知手段と、を備え、
前記決済端末が、
商品に添付されている商品ＩＤを読み取る商品ＩＤ読み取り手段と、
前記判定の結果がカテゴリの一致を示す場合に前記読み取った商品ＩＤに対応する商品の決済処理の中止を決定する決済中止決定手段と、
を備えることを特徴とする決済システム。
【請求項３】
前記カテゴリ情報は、商品を分類する階層毎の複数の分類ＩＤを、その階層順に並べた情報であり、
前記カテゴリ判定手段は、前記商品ＩＤが示す商品のカテゴリ情報と前記購入禁止製品ＩＤが示す商品のカテゴリ情報との比較において、上位の階層から順に分類ＩＤを比較して、一致するか否かを判定する
ことを特徴とする請求項１または請求項２に記載の決済システム。
【請求項４】
前記ＩＣカードが、
前記購入禁止製品記憶手段に記録に記録されている購入禁止製品ＩＤの変更を受け付ける購入禁止製品ＩＤ変更受付手段と、
を備えることを特徴とする請求項１から請求項３の何れかに記載の決済システム。
【請求項５】
ＩＣカードと当該ＩＣカードを用いて決済処理する決済端末を備えた決済システムにおける決済方法であって、
前記ＩＣカードの購入禁止製品登録受付手段が、購入禁止製品のカテゴリを示す購入禁止製品ＩＤの登録を受け付け、
前記ＩＣカードの購入禁止製品記憶手段が、前記購入禁止製品ＩＤを記憶し、
前記決済端末の商品ＩＤ読み取り手段が、商品に添付されている商品ＩＤを読み取り、
前記決済端末の購入禁止製品ＩＤ読取手段が、前記ＩＣカードの記憶する購入禁止製品ＩＤを読み取り、
前記決済端末のカテゴリ判定手段が、前記商品ＩＤが示す商品のカテゴリ情報と前記購入禁止製品ＩＤが示す商品のカテゴリ情報との比較に基づいて、カテゴリが一致するか否かを判定し、
前記決済端末の決済中止決定手段が、カテゴリが一致する場合に前記読み取った商品ＩＤに対応する商品の決済処理の中止を決定する
ことを特徴とする決済方法。
【請求項６】
ＩＣカードと当該ＩＣカードを用いて決済処理する決済端末を備えた決済システムにおける決済方法であって、
前記ＩＣカードの購入禁止製品登録受付手段が、購入禁止製品のカテゴリを示す購入禁止製品ＩＤの登録を受け付け、
前記ＩＣカードの購入禁止製品記憶手段が、前記購入禁止製品ＩＤを記憶し、
前記ＩＣカードのカテゴリ判定手段が、前記決済端末より入力を受け付けた商品ＩＤが示す商品のカテゴリ情報と前記購入禁止製品ＩＤが示す商品のカテゴリ情報との比較に基づいて、カテゴリが一致するか否かを判定し、
前記ＩＣカードの判定結果通知手段が、前記判定の結果を前記決済端末へ通知し、
前記決済端末の商品ＩＤ読み取り手段が、商品に添付されている商品ＩＤを読み取り、
前記決済端末の前記判定の決済中止決定手段が、結果がカテゴリの一致を示す場合に前記読み取った商品ＩＤに対応する商品の決済処理の中止を決定する
ことを特徴とする決済方法。
【請求項７】
購入禁止製品のカテゴリを示す購入禁止製品ＩＤの登録を受け付ける購入禁止製品登録受付手段と、前記購入禁止製品ＩＤを記憶する購入禁止製品記憶手段と、を備えるＩＣカードと、
当該ＩＣカードを用いて決済処理する決済端末と
を備えた決済システムにおける前記決済端末であって、
商品に添付されている商品ＩＤを読み取る商品ＩＤ読み取り手段と、
前記ＩＣカードの記憶する購入禁止製品ＩＤを読み取る購入禁止製品ＩＤ読取手段と、
前記商品ＩＤが示す商品のカテゴリ情報と前記購入禁止製品ＩＤが示す商品のカテゴリ情報との比較に基づいて、カテゴリが一致するか否かを判定するカテゴリ判定手段と、
カテゴリが一致する場合に前記読み取った商品ＩＤに対応する商品の決済処理の中止を決定する決済中止決定手段と、
を備えることを特徴とする決済端末。
【請求項８】
商品に添付されている添付されている商品ＩＤを読み取る商品ＩＤ読み取り手段と、ＩＣカードにおける判定の結果がカテゴリの一致を示す場合に前記読み取った商品ＩＤに対応する商品の決済処理の中止を決定する決済中止決定手段と、を備えた決済端末を有する決済システムに用いられる前記ＩＣカードであって、
購入禁止製品のカテゴリを示す購入禁止製品ＩＤの登録を受け付ける購入禁止製品登録受付手段と、
前記購入禁止製品ＩＤを記憶する購入禁止製品記憶手段と、
前記決済端末より入力を受け付けた商品ＩＤが示す商品のカテゴリ情報と前記購入禁止製品ＩＤが示す商品のカテゴリ情報との比較に基づいて、カテゴリが一致するか否かを判定するカテゴリ判定手段と、
前記判定の結果を前記決済端末へ通知する判定結果通知手段と、
を備えることを特徴とするＩＣカード。
【発明の詳細な説明】
【技術分野】
【０００１】
本発明は、店舗などにおいてＩＣカードに記録された金額の情報を用いて電子決済を行う決済システムおよび決済方法並びに決済端末およびＩＣカードに関する。
【背景技術】
【０００２】
従来、ＩＣカードに記録された金額の情報を用いて電子決済を行う決済システムでは、購入者の提示したＩＣカードに記録された金額の範囲内であれば、販売員の決済端末（レジなど）の操作によって、基本的にはどのような物品でも決済処理することができる。なおＩＣカードによる決済システムに関する技術が非特許文献１に開示されている。
【非特許文献１】“ｎａｎａｃｏで買い物をするには？”、「online」、「平成１９年１１月１９日検索」、インターネット＜ＵＲＬ：http://www.nanaco-net.jp/howto/shopping.html＞
【発明の開示】
【発明が解決しようとする課題】
【０００３】
ところで、未成年者が購入できない商品の販売において、未成年である購入者が年齢を偽った場合や販売員が年齢の確認を怠った場合には、その商品を販売してしまう可能性がある。また購入者が未成年であると販売員が確認できても、購入禁止とできる商品は、未成年者が購入できない商品に限られており、例えば、保護者が未成年である購入者に対して自分が居ない場所での所望の商品の購入を規制することはできない。
【０００４】
そこでこの発明は、購入禁止とする商品の適用範囲を広げることのできる決済システムおよび決済方法並びに決済端末およびＩＣカードを提供することを目的としている。
【課題を解決するための手段】
【０００５】
上記目的を達成するために、本発明は、ＩＣカードと当該ＩＣカードを用いて決済処理する決済端末を備えた決済システムであって、前記ＩＣカードが、購入禁止製品のカテゴリを示す購入禁止製品ＩＤの登録を受け付ける購入禁止製品登録受付手段と、前記購入禁止製品ＩＤを記憶する購入禁止製品記憶手段と、前記決済端末が、商品に添付されている商品ＩＤを読み取る商品ＩＤ読み取り手段と、前記ＩＣカードの記憶する購入禁止製品ＩＤを読み取る購入禁止製品ＩＤ読取手段と、前記商品ＩＤが示す商品のカテゴリ情報と前記購入禁止製品ＩＤが示す商品のカテゴリ情報との比較に基づいて、カテゴリが一致するか否かを判定するカテゴリ判定手段と、カテゴリが一致する場合に前記読み取った商品ＩＤに対応する商品の決済処理の中止を決定する決済中止決定手段と、を備えることを特徴とする決済システムである。
【０００６】
また本発明は、ＩＣカードと当該ＩＣカードを用いて決済処理する決済端末を備えた決済システムであって、前記ＩＣカードが、購入禁止製品のカテゴリを示す購入禁止製品ＩＤの登録を受け付ける購入禁止製品登録受付手段と、前記購入禁止製品ＩＤを記憶する購入禁止製品記憶手段と、前記決済端末より入力を受け付けた商品ＩＤが示す商品のカテゴリ情報と前記購入禁止製品ＩＤが示す商品のカテゴリ情報との比較に基づいて、カテゴリが一致するか否かを判定するカテゴリ判定手段と、前記判定の結果を前記決済端末へ通知する判定結果通知手段と、を備え、前記決済端末が、商品に添付されている商品ＩＤを読み取る商品ＩＤ読み取り手段と、前記判定の結果がカテゴリの一致を示す場合に前記読み取った商品ＩＤに対応する商品の決済処理の中止を決定する決済中止決定手段と、を備えることを特徴とする決済システムである。
【０００７】
また本発明は、上述の決済システムにおいて、前記カテゴリ情報は、商品を分類する階層毎の複数の分類ＩＤを、その階層順に並べた情報であり、前記カテゴリ判定手段は、前記商品ＩＤが示す商品のカテゴリ情報と前記購入禁止製品ＩＤが示す商品のカテゴリ情報との比較において、上位の階層から順に分類ＩＤを比較して、一致するか否かを判定することを特徴とする。
【０００８】
また本発明は、上述の決済システムにおいて、前記ＩＣカードが、前記購入禁止製品記憶手段に記録に記録されている購入禁止製品ＩＤの変更を受け付ける購入禁止製品ＩＤ変更受付手段と、を備えることを特徴とする。
【０００９】
また本発明は、ＩＣカードと当該ＩＣカードを用いて決済処理する決済端末を備えた決済システムにおける決済方法であって、前記ＩＣカードの購入禁止製品登録受付手段が、購入禁止製品のカテゴリを示す購入禁止製品ＩＤの登録を受け付け、前記ＩＣカードの購入禁止製品記憶手段が、前記購入禁止製品ＩＤを記憶し、前記決済端末の商品ＩＤ読み取り手段が、商品に添付されている商品ＩＤを読み取り、前記決済端末の購入禁止製品ＩＤ読取手段が、前記ＩＣカードの記憶する購入禁止製品ＩＤを読み取り、前記決済端末のカテゴリ判定手段が、前記商品ＩＤが示す商品のカテゴリ情報と前記購入禁止製品ＩＤが示す商品のカテゴリ情報との比較に基づいて、カテゴリが一致するか否かを判定し、前記決済端末の決済中止決定手段が、カテゴリが一致する場合に前記読み取った商品ＩＤに対応する商品の決済処理の中止を決定することを特徴とする決済方法である。
【００１０】
また本発明は、ＩＣカードと当該ＩＣカードを用いて決済処理する決済端末を備えた決済システムにおける決済方法であって、前記ＩＣカードの購入禁止製品登録受付手段が、購入禁止製品のカテゴリを示す購入禁止製品ＩＤの登録を受け付け、前記ＩＣカードの購入禁止製品記憶手段が、前記購入禁止製品ＩＤを記憶し、前記ＩＣカードのカテゴリ判定手段が、前記決済端末より入力を受け付けた商品ＩＤが示す商品のカテゴリ情報と前記購入禁止製品ＩＤが示す商品のカテゴリ情報との比較に基づいて、カテゴリが一致するか否かを判定し、前記ＩＣカードの判定結果通知手段が、前記判定の結果を前記決済端末へ通知し、前記決済端末の商品ＩＤ読み取り手段が、商品に添付されている商品ＩＤを読み取り、前記決済端末の前記判定の決済中止決定手段が、結果がカテゴリの一致を示す場合に前記読み取った商品ＩＤに対応する商品の決済処理の中止を決定することを特徴とする決済方法である。
【００１１】
また本発明は、購入禁止製品のカテゴリを示す購入禁止製品ＩＤの登録を受け付ける購入禁止製品登録受付手段と、前記購入禁止製品ＩＤを記憶する購入禁止製品記憶手段と、を備えるＩＣカードと、当該ＩＣカードを用いて決済処理する決済端末とを備えた決済システムにおける前記決済端末であって、商品に添付されている商品ＩＤを読み取る商品ＩＤ読み取り手段と、前記ＩＣカードの記憶する購入禁止製品ＩＤを読み取る購入禁止製品ＩＤ読取手段と、前記商品ＩＤが示す商品のカテゴリ情報と前記購入禁止製品ＩＤが示す商品のカテゴリ情報との比較に基づいて、カテゴリが一致するか否かを判定するカテゴリ判定手段と、カテゴリが一致する場合に前記読み取った商品ＩＤに対応する商品の決済処理の中止を決定する決済中止決定手段と、を備えることを特徴とする決済端末である。
【００１２】
また本発明は、商品に添付されている添付されている商品ＩＤを読み取る商品ＩＤ読み取り手段と、ＩＣカードにおける判定の結果がカテゴリの一致を示す場合に前記読み取った商品ＩＤに対応する商品の決済処理の中止を決定する決済中止決定手段と、を備えた決済端末を有する決済システムに用いられる前記ＩＣカードであって、購入禁止製品のカテゴリを示す購入禁止製品ＩＤの登録を受け付ける購入禁止製品登録受付手段と、前記購入禁止製品ＩＤを記憶する購入禁止製品記憶手段と、前記決済端末より入力を受け付けた商品ＩＤが示す商品のカテゴリ情報と前記購入禁止製品ＩＤが示す商品のカテゴリ情報との比較に基づいて、カテゴリが一致するか否かを判定するカテゴリ判定手段と、前記判定の結果を前記決済端末へ通知する判定結果通知手段と、を備えることを特徴とするＩＣカードである。
【発明の効果】
【００１３】
本発明によれば、ＩＣカードの管理者が事前にＩＣカードに登録したカテゴリＩＤに属する商品の購入を、そのＩＣカードを用いて行うことができなくなるので、購入者による購入禁止とする商品を管理者が決定することができる。また、購入禁止とする特定の商品を一意に特定する情報を登録しなくても、カテゴリＩＤによってある分類に属する全ての商品の購入を禁止することができるので、一つのカテゴリＩＤの登録で、購入禁止とする商品の適用範囲を広げることができる。
【発明を実施するための最良の形態】
【００１４】
以下、本発明の一実施形態による決済システムを図面を参照して説明する。
図１は同実施形態による決済システムの構成を示すブロック図である。
この図において、符号１は決済端末である。決済端末１は例えば店舗に備えられているレジに相当する。また２はＩＣカードである。また３はカードリーダライタである。また４はバーコードリーダである。そして決済端末１は、液晶等の画面に決済金額などを表示する表示部１１、決済端末１内の各処理部を制御する制御部１２、カードリーダライタ３との間で情報を送受信するカードリーダライタ間送受信部１３、バーコードリーダ４との間で情報を送受信するバーコードリーダ間送受信部１４、カードリーダライタ３から受信したＩＣカード２の記憶するカテゴリＩＤと、バーコードリーダ４から受信した商品添付のバーコード内のカテゴリＩＤとを比較して一致するか否かを判定するカテゴリ判定部１５、決済処理の中止を決定する決済中止決定部１６、決済処理を行う決済処理部１７を備えている。決済端末１はカードリーダライタ３、バーコードリーダ４と通信ケーブル等により接続されている。
【００１５】
図２はＩＣカードの機能ブロック図である。
この図より、ＩＣカード２において、２１は演算処理を行うＣＰＵ（Central Processing Unit）、２２はデータを一時的に記憶し、また様々なプログラム実行時にそのプログラムで利用する情報を記憶するＲＡＭ（Random Access Memory）、２３はＩＣカード１内の処理を制御するＯＳ（Operating Software）を格納するマスクＲＯＭ（Read Only Memory）、２４はアプリケーションプログラムなどが格納されるＥＥＰＲＯＭ（Erasable Programmable ROM）である。２５はアンテナである。本実施形態におけるＩＣカード２は、カードリーダライタ３と情報を送受信するにあたり、ＲＦＩＤ（Radio Frequency Identification）の技術を用いて無線により情報を送受信するものとする。なお、ＩＣカード２が接触端子を有し、当該接触端子を介してカードリーダライタ３と情報を送受信するようにしてもよい。
【００１６】
そして本実施形態による決済システムにおいては、ＩＣカードが、購入禁止製品のカテゴリを示すカテゴリＩＤ（購入禁止製品ＩＤ）の登録を受け付け、当該カテゴリＩＤをＥＥＰＲＯＭ２４等の記憶部の所定の領域に記憶する。そして、決済端末１が、商品に添付されているＩＤであって当該商品のカテゴリを示す商品ＩＤを読み取り、また、ＩＣカードの記憶する購入禁止製品ＩＤを読み取る。決済端末１は、２つのカテゴリＩＤ（商品ＩＤと購入禁止製品ＩＤ）とを比較して、カテゴリが一致するか否かを判定し、カテゴリが一致する場合に読み取った商品ＩＤに対応する商品の決済処理の中止を決定する。
【００１７】
図３は商品の分類とカテゴリＩＤを説明する図である。
図３で示すように各商品はカテゴリ別に予め分類されている。図３では、例えば、大カテゴリとして『本』，『食品』，『文房具』に分かれており、また『本』の大カテゴリに属する中カテゴリは『コミック』，『小説』，『写真集』に分かれており、また『コミック』の中カテゴリに属する小カテゴリは『歴史者』，『暴力系』，『恋愛物』に分かれている。そして、各大カテゴリ、小カテゴリ、中カテゴリにおける各カテゴリには識別番号が割り当てられており、各カテゴリの名称の下に記されている番号が識別番号を示している。例えば、大カテゴリの『本』は，その識別番号が「１１」、大カテゴリ『本』における中カテゴリ『コミック』の識別番号は「１１」、中カテゴリ『コミック』における小カテゴリ『歴史物』の識別番号は「０１」である。そして、大カテゴリ、中カテゴリ、小カテゴリの識別番号を、大カテゴリ、中カテゴリ、小カテゴリの順番に連ねた番号をカテゴリＩＤとする。
【００１８】
図４は決済端末の処理フローを示す図である。
次に、図４を用いて決済端末の処理フローについて説明する。
まず、管理者が自身の管理するＩＣカード２に、購入を禁止させたい商品のカテゴリＩＤを登録する。例えば、カテゴリＩＤを登録するためのアプリケーションプログラムを実行するパソコンなどの端末に、ＩＣカード２のリーダライタを接続し、当該端末を操作することによりＩＣカードにカテゴリＩＤが登録できる。ＩＣカード２においては、マスクＲＯＭ２３に格納された登録受付プログラムが、リーダライタから受信したカテゴリＩＤを所定のＥＥＰＲＯＭ２４上の領域にカテゴリＩＤを格納する。このＩＣカード２に登録されるカテゴリＩＤは、上書きして変更することができる。なおＩＣカード２には、電子マネーの金額の情報が登録されている。このＩＣカードを用いて商品を電子決済により購入するユーザは、記録されている金額を上限とする商品の購入を行うことができる。
【００１９】
そして、購入者は、商品を購入する際に販売員に商品を手渡し、販売員は受け取った商品に添付されているバーコードをバーコードリーダ４で読み取る（ステップＳ１）。商品に添付されているバーコードには商品のカテゴリＩＤが格納されており、バーコードリーダ４は決済端末１へカテゴリＩＤを送信する。そして決済端末１のバーコードリーダ間送受信部１４は、受信したカテゴリＩＤをカテゴリ判定部１５に転送する。また販売員は商品のバーコードを読み取ると、購入者に対してカードリーダライタ３へＩＣカード２をかざすよう依頼する。そして、購入者は販売員の指示に従って、保持するＩＣカード２をカードリーダライタ３に翳す。
【００２０】
カードリーダライタ３は電波を出力しており、電波をアンテナにより受信したＩＣカード２では、共振作用により起電力を発生し、当該起電力によりＣＰＵ２１がＥＥＰＲＯＭ２４に記録されているカテゴリＩＤを読み取って（ステップＳ２）、カードリーダライタ３へ送信する。次にカードリーダライタ３はカテゴリＩＤを受信すると、決済端末１へカテゴリＩＤを送信する。そして、決済端末１のカードリーダ間送受信部１３は、受信したカテゴリＩＤをカテゴリ判定部１５へ転送する。
【００２１】
次にカテゴリ判定部は、バーコードリーダ４から受信したカテゴリＩＤ（商品ＩＤ）と、カードリーダライタ３から受信したカテゴリＩＤ（購入禁止製品ＩＤ）とを比較して（ステップＳ３）、カテゴリが一致するか否かを判定する。そしてカテゴリが一致か不一致かの情報を決済中止決定部１６へ通知する（ステップＳ４，Ｓ５）。決済中止決定部１６は、カテゴリ判定部１５からカテゴリ不一致の通知を受けた場合には、決済処理部１７へ決済処理の継続を通知（ステップＳ６）し、カテゴリ判定部１５からカテゴリ一致の通知を受けた場合には、決済処理を中止すると決定し、決済処理部１７へ決済処理の中止を通知する（ステップＳ７）。そして決済処理部１６は、決済処理の継続の通知を受けた場合には決済処理を継続し（ステップＳ８）、また、決済処理の中止の通知を受けた場合には、例えば表示部１１に、決済処理中止の表示を行うよう指示する（ステップＳ９）。
【００２２】
次に、カテゴリＩＤの判定処理の具体例について説明する。
図３で示すような分類により、例えば、『本』―『コミック』―『暴力系』のカテゴリに属する商品は、大カテゴリ，中カテゴリ，小カテゴリの２桁の識別番号を順に連ねたカテゴリＩＤ『１１１１０２』がバーコードの情報として格納されている。そして、ＩＣカードを管理する管理者（親など）が『本』―『コミック』―『暴力系』のカテゴリに属する商品の購入を禁止するために、ＩＣカードにカテゴリＩＤ『１１１１０２』を登録したとする。そして、このＩＣカードを利用して購入者が『本』―『コミック』―『暴力系』に属する商品を購入使用とする場合、決済端末１のカテゴリ判定部１５は、バーコードリーダ４から受信したカテゴリＩＤ『１１１１０２』と、カードリーダライタ３から受信したカテゴリＩＤ『１１１１０２』が一致するため、カテゴリが一致を示す情報を決済中止決定部１６へ通知する。また、例えばＩＣカード２にカテゴリＩＤとして『１１１１――』という最初の４桁だけの番号が登録されていた場合、大カテゴリ『１１』、中カテゴリ『１１』となる商品の全て、つまり『本』―『コミック』に属する全ての商品の購入を制限するようにしても良い。この場合、カテゴリ判定部１５は、カテゴリＩＤの上位の桁から順に２桁ずつ比較し、カードリーダライタ３から受信したカテゴリＩＤ（購入禁止製品ＩＤ）の比較する桁が無くなった時点までの桁まで、バーコードリーダ４から受信したカテゴリＩＤ（商品ＩＤ）が全て一致していれば、その商品についてはカテゴリ一致と判定する。
【００２３】
以上の処理により、ＩＣカードの管理者が事前にＩＣカードに登録したカテゴリＩＤに属する商品の購入を、そのＩＣカードを用いて行うことができなくなるので、購入者による購入禁止とする商品を管理者が決定することができる。また、購入禁止とする特定の商品を一意に特定する情報を登録しなくても、カテゴリＩＤによってある分類に属する全ての商品の購入を禁止することができるので、一つのカテゴリＩＤの登録で、購入禁止とする商品の適用範囲を広げることができる。
【００２４】
なお、上述の処理においては、決済端末１がカテゴリ判定部１５を備えて、決済端末１内でカテゴリＩＤの比較を行っているが、この処理をＩＣカード２内で行うようにしても良い。その場合、ＩＣカードが、購入禁止製品のカテゴリを示すＩＤの登録を受け付け、購入禁止製品のカテゴリを示すＩＤを記憶する。そして、ＩＣカード２は決済端末より入力を受け付けたカテゴリＩＤ（商品ＩＤ）と、予め記憶するカテゴリＩＤ（購入禁止製品ＩＤ）とを比較して、カテゴリが一致するか否かを判定し、判定の結果を決済端末１へ通知する。そして、決済端末１が、判定の結果がカテゴリの一致を示す場合に商品より読み取ったカテゴリＩＤ（商品ＩＤ）に対応する商品の決済処理の中止を決定する。また、上述の処理においては、商品ＩＤ自体がカテゴリを示すＩＤとなっているが、商品ＩＤに対応するカテゴリＩＤのデータテーブルを別途、決済端末１が記憶して、商品ＩＤに基づいてデータテーブルから読み取ったカテゴリＩＤと購入禁止製品ＩＤが示すカテゴリＩＤとを比較するようにしてもよい。
【００２５】
なお、上述の決済端末やＩＣカードは内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００２６】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００２７】
【図１】決済システムの構成を示すブロック図である。
【図２】ＩＣカードの機能ブロック図である。
【図３】商品の分類とカテゴリＩＤを説明する図である。
【図４】決済端末の処理フローを示す図である。
【符号の説明】
【００２８】
１・・・決済端末
２・・・ＩＣカード
３・・・カードリーダライタ
４・・・バーコードリーダ
１１・・・表示部
１２・・・制御部
１３・・・カードリーダライタ間送受信部
１４・・・バーコードリーダ間送受信部
１５・・・カテゴリ判定部
１６・・・決済中止決定部
１７・・・決済処理部
２１・・・ＣＰＵ
２２・・・ＲＡＭ
２３・・・マスクＲＯＭ
２４・・・ＥＥＰＲＯＭ
【図１】
2009140303.tif 000003
【図２】
2009140303.tif 000004
【図３】
2009140303.tif 000005
【図４】
2009140303.tif 000006